(57)【要約】【課題】この発明は、簡易な構成で盗難や不正使用等から十分に保護することを可能とし、しかも、所有者に対しても取り扱いを便利にして実用性を高めるようにした投射型表示装置を提供することを目的としている。【解決手段】投射レンズ（１３）を備えた本体部（１２）を所定の動作状態または停止状態に制御するための各種のキー（１５）が配列された操作部（１４）を有するキーパッド（１６）を、本体部（１２）とは別体に構成し、操作部（１４）を有さない他方の平面部を露出させて本体部（１２）の装着部（１７）に装着させるようにしている。【選択図】    図３
2008009305.tif 000002
【特許請求の範囲】
【請求項１】
投射レンズを備えた本体部と、
前記本体部とは別体のほぼ板状に構成され、一方の平面部に、前記本体部を所定の動作状態または停止状態に制御するためのキーが配列された操作部を有するキーパッドと、
前記本体部に設けられ、前記キーパッドを、前記操作部を有する一方の平面部と前記操作部を有さない他方の平面部とを選択的に露出させて装着可能な装着部と、
前記キーパッドが前記操作部を有する一方の平面部を露出させるように前記装着部に装着されたとき、前記キーパッドと前記本体部とを電気的に接続する接続手段とを具備することを特徴とする投射型表示装置。
【請求項２】
前記キーパッドが前記操作部を有さない他方の平面部を露出させるように前記装着部に装着されたとき、前記キーパッドを前記装着部に対して取り出し不可能にロックするロック手段を具備することを特徴とする請求項１記載の投射型表示装置。
【請求項３】
前記ロック手段は、リモートコントローラの操作によりロックが要求されたとき、前記キーパッドを前記装着部に対して取り出し不可能にロックするとともに、前記リモートコントローラの操作により予め設定された所定のロック解除情報が入力されたとき、前記キーパッドの前記装着部に対するロックを解除することを特徴とする請求項２記載の投射型表示装置。
【請求項４】
前記キーパッドが前記操作部を有する一方の平面部を露出させるように前記装着部に装着されたとき、前記リモートコントローラの操作により前記本体部を所定の動作状態または停止状態に制御することを可能とする制御手段を具備することを特徴とする請求項３記載の投射型表示装置。
【請求項５】
前記キーパッドの前記操作部を有さない他方の平面部には、前記本体部が使用不可である旨を示すラベルが付加されることを特徴とする請求項１記載の投射型表示装置。
【請求項６】
前記装着部は、ほぼ薄型の箱状に形成された前記本体部の上面パネルに設けられることを特徴とする請求項１記載の投射型表示装置。
【請求項７】
前記装着部は、ほぼ薄型の箱状に形成された前記本体部の後端側から前記キーパッドを挿入するように構成されることを特徴とする請求項１記載の投射型表示装置。
【発明の詳細な説明】
【技術分野】
【０００１】
この発明は、例えば液晶カラープロジェクタ等に代表される投射型表示装置の改良に関する。
【背景技術】
【０００２】
周知のように、首記の如き投射型表示装置は、大スクリーンに対して情報の拡大表示が可能であることから、多くの人々に一斉に情報を視認させる際に便利である。このため、投射型表示装置は、例えば、学校、会社、多目的ホール等のような、多数の人が出入りする場所に設置される機会が多くなっている。
【０００３】
この場合、投射型表示装置を、盗難、いたずら、不正使用等から保護するために、現状では、種々の対策が考えられている。例えば、特許文献１には、入力されたパスワードと登録されているパスワードとが一致したときのみ、操作部による液晶プロジェクタの操作を可能とさせるようにした構成が開示されている。
【特許文献１】特開２００４−０７７９６７
【発明の開示】
【発明が解決しようとする課題】
【０００４】
そこで、この発明は上記事情を考慮してなされたもので、簡易な構成で盗難や不正使用等から十分に保護することを可能とし、しかも、所有者に対しても取り扱いを便利にして実用性を高めるようにした投射型表示装置を提供することを目的とする。
【課題を解決するための手段】
【０００５】
この発明に係る投射型表示装置は、投射レンズを備えた本体部と、本体部とは別体のほぼ板状に構成され、一方の平面部に、本体部を所定の動作状態または停止状態に制御するためのキーが配列された操作部を有するキーパッドと、本体部に設けられ、キーパッドを、操作部を有する一方の平面部と操作部を有さない他方の平面部とを選択的に露出させて装着可能な装着部と、キーパッドが操作部を有する一方の平面部を露出させるように装着部に装着されたとき、キーパッドと本体部とを電気的に接続する接続手段とを備えるようにしたものである。
【発明の効果】
【０００６】
上記した発明によれば、投射レンズを備えた本体部を所定の動作状態または停止状態に制御するための各種のキーが配列された操作部を有するキーパッドを、本体部とは別体に構成し、操作部を有さない他方の平面部を露出させて本体部の装着部に装着させるようにしたので、簡易な構成で盗難や不正使用等から十分に保護することを可能とし、しかも、所有者に対しても取り扱いを便利にして実用性を高めることができる。
【発明を実施するための最良の形態】
【０００７】
以下、この発明の実施の形態について図面を参照して詳細に説明する。図１は、この実施の形態で説明するカラープロジェクタ１１の外観を示している。すなわち、このカラープロジェクタ１１は、プロジェクタ本体となる、ほぼ薄型の箱状に形成された据置タイプのキャビネット１２を有している。
【０００８】
そして、このキャビネット１２には、その前面パネル１２ａの一端部に、投射レンズ１３が配置されている。この投射レンズ１３は、キャビネット１２の前面に設置された映像投射面となる後述するスクリーンに、映像化された情報を拡大投射して表示させるためのものである。
【０００９】
また、上記キャビネット１２には、その上面パネル１２ｂの後端側中央部に、操作部１４が配置されている。この操作部１４は、カラープロジェクタ１１を各種の動作状態または停止状態に制御するための各種のキー１５を備えている。これらのキー１５は、ユーザが操作するために上面パネル１２ｂから露出するように設置されている。
【００１０】
ここで、上記のように各種のキー１５を備えた操作部１４は、図２に示すように、１つのほぼ板状に形成されたキーパッド１６として、キャビネット１２とは別体になるように構成されている。そして、このキーパッド１６は、キャビネット１２に対して着脱自在となるように構成されている。
【００１１】
すなわち、キャビネット１２の上面パネル１２ｂの後端側中央部には、上面パネル１２に対しては凹形状を有し、キャビネット１２の後面に対しては開口１７ａされた装着部１７が形成されている。そして、キーパッド１６は、キャビネット１２の後面に形成された開口１７ａから、その操作部１４の形成された平面部が、上面パネル１２ｂに平行となるように装着部１７に挿入されることにより、装着部１７に装着可能となる。
【００１２】
この場合、キーパッド１６には、その装着部１７への挿入方向に平行する一対の側面１８それぞれに、装着部１７への挿入方向に平行な鍔状のガイド部１９が突設されている。このガイド部１９は、キーパッド１６の厚み方向に対して中央部分に形成されている。また、上記装着部１７には、キーパッド１６の挿入方向に平行する一対の側面２０それぞれに、キーパッド１６のガイド部１９が挿入されるガイド溝２１が形成されている。
【００１３】
これにより、キーパッド１６は、そのガイド部１９をガイド溝２１に挿入させるように開口１７ａから装着部１７に挿入され、そのまま、操作部１４の形成された平面部が、上面パネル１２ｂに平行となるように装着部１７内に挿入されることにより、装着部１７に装着可能となる。
【００１４】
そして、キーパッド１６は、その操作部１４の形成された面が露出するように装着部１７に装着された状態で、各種のキー１５を操作した情報がキャビネット１２内の信号処理系に伝達され、カラープロジェクタ１１が各種の動作状態または停止状態に制御されるようになっている。
【００１５】
なお、上記キャビネット１２には、その前面パネル１２ａに、ワイヤレスのリモートコントローラ２２から送信される操作情報を受信して、キャビネット１２内の信号処理系に伝達する受信部２３が設置されている。そして、キーパッド１６が操作部１４の形成された面を露出して装着部１７に装着された状態では、カラープロジェクタ１１は、リモートコントローラ２２の操作によっても、各種の動作状態または停止状態に制御される。
【００１６】
一方、上記キーパッド１６は、図３に示すように、キャビネット１２の装着部１７から取り外し、裏返しにして、装着部１７に装着させることが可能になっている。つまり、キーパッド１６は、その操作部１４の形成された面を露出させないようにキャビネット１２に装着することが可能となっている。
【００１７】
このように、キーパッド１６が操作部１４の形成された面を露出させないようにキャビネット１２に装着された場合、当然のことながら、操作部１４による操作は行なうことができず、カラープロジェクタ１１は操作不可能となる。また、キーパッド１６が操作部１４の形成された面を露出させないようにキャビネット１２に装着されている場合には、後述する例外を除いて、リモートコントローラ２２によるカラープロジェクタ１１の操作も不可能となっている。
【００１８】
そして、キーパッド１６には、その操作部１４の形成された面と反対側の面に、カラープロジェクタ１１が使用不可である旨を記述したメッセージラベル２４が貼り付けられている。
【００１９】
ここで、図４に示すように、キーパッド１６の装着部１７への挿入方向先端面には、キャビネット１２内の信号処理系と電気的接続を行なうためのコネクタ２５が設置されている。このコネクタ２５は、キーパッド１６の装着部１７への挿入方向先端面で、キーパッド１６の幅方向の中心位置よりも一方側に偏らせて設置されている。
【００２０】
そして、キャビネット１２の装着部１７には、操作部１４の形成された面を露出させる向きでキーパッド１６が挿入されたとき、そのコネクタ２５が接続される位置にコネクタ２６が設置されている。つまり、キーパッド１６が操作部１４の形成された面を露出させて装着部１７に装着されるとき、コネクタ２５，２６同士が接続されて、キーパッド１６とキャビネット１２内の信号処理系との電気的接続が可能となる。
【００２１】
このように、キーパッド１６とキャビネット１２内の信号処理系との電気的接続が可能となった状態では、各種のキー１５を操作した情報とリモートコントローラ２２からの操作情報とがキャビネット１２内の信号処理系に伝達されるようになり、カラープロジェクタ１１が各種の動作状態または停止状態に制御される。
【００２２】
これに対し、図５に示すように、キャビネット１２の装着部１７に、メッセージラベル２４の貼り付けられた面を露出させる向きでキーパッド１６が挿入されると、コネクタ２５，２６同士は接続されず、キーパッド１６とキャビネット１２内の信号処理系との電気的接続が行なわれなくなる。
【００２３】
このように、キーパッド１６とキャビネット１２内の信号処理系との電気的接続が不可能となった状態では、当然のことながら、各種のキー１５を操作することはできず、さらに、一部の例外を除いて、リモートコントローラ２２によるカラープロジェクタ１１の操作も不可能となる。
【００２４】
また、図６に示すように、キーパッド１６には、その操作部１４の形成された面の所定位置に、凹状の係合部２７が形成されている。そして、キャビネット１２の装着部１７には、操作部１４の形成された面を露出させない向きでキーパッド１６が挿入されたとき、その係合部２７に対応する位置に、ロック部２８が出入自在に設置されている。
【００２５】
このロック部２８は、リモートコントローラ２２を操作することによって、その出入動作が制御されるようになっている。そして、このロック部２８の出入を制御するためのリモートコントローラ２２の操作に関しては、キーパッド１６とキャビネット１２内の信号処理系とが電気的接続されていなくても、つまり、コネクタ２５，２６同士が接続されていなくても、可能となっている。
【００２６】
通常、ロック部２８は、キーパッド１６の装着部１７に対する挿入及び取り出しを妨げないように、装着部１７内に収容された入位置となされている。そして、このロック部２８は、キーパッド１６が、そのメッセージラベル２４の貼り付けられた面を露出させる向き、つまり、操作部１４の形成された面を露出させない向きで装着部１７に装着されて、係合部２７が対向する位置に来たとき、リモートコントローラ２２の操作によって係合部２７内に嵌合する出位置となされる。
【００２７】
このように、ロック部２８がキーパッド１６の係合部２７内に嵌合された状態では、キーパッド１６は、装着部１７から取り出すことができなくなる。
【００２８】
また、リモートコントローラ２２によって、予め設定しておいたロック解除情報（例えばパスワードまたは暗証番号等）を入力することにより、ロック部２８を出位置から入位置に制御して、キーパッド１６を装着部１７から取り出すことができるようになる。
【００２９】
図７は、上記したカラープロジェクタ１１の信号処理系を概略的に示している。すなわち、入力端子２９に供給された映像信号は、映像信号処理部３０に供給されて投射される際に必要な所定の信号処理が施される。
【００３０】
そして、映像信号処理部３０から出力された映像信号は、映像投射部３１に供給されて光学像に変換された後、上記投射レンズ１３を介してスクリーン３２に拡大投射され、ここに、映像表示が行なわれる。
【００３１】
ここで、上記したカラープロジェクタ１１の一連の映像投射動作は、制御部３３によって統括的に制御されている。この制御部３３は、例えばＣＰＵ（central processing unit）等を内蔵しており、キーパッド１６からコネクタ２５，２６を介して受信した操作情報、または、リモートコントローラ２２から受信部２３を介して受信した操作情報に基づいて、その操作内容が反映されるように各部をそれぞれ制御している。
【００３２】
また、この制御部３３は、上記ロック部２８を出入駆動させるためのロック制御部３４を制御している。この場合、制御部３３は、上記コネクタ２５，２６同士が接続されていなくても、リモートコントローラ２２からロックを要求する操作情報が供給されたとき、ロック制御部３４を介してロック部２８を出位置に移動させるように制御し、また、リモートコントローラ２２からロック解除情報が供給されたとき、ロック制御部３４を介してロック部２８を入位置に移動させるように制御する。
【００３３】
さらに、上記制御部３３は、コネクタ２５，２６同士が接続されていない場合には、リモートコントローラ２２からのロック制御部３４を制御する操作情報以外は受け付けないように制御される。
【００３４】
上記した実施の形態によれば、まず、カラープロジェクタ１１を各種の動作状態または停止状態に制御するための各種のキー１５を備えた操作部１４を、プロジェクタ本体であるキャビネット１２に対して着脱可能なキーパッド１６として構成し、カラープロジェクタ１１の使用時には、キーパッド１６をその操作部１４の形成された面が露出されるようにキャビネット１２に装着させ、カラープロジェクタ１１の非使用時には、キーパッド１６をその操作部１４の形成されていない面が露出されるようにキャビネット１２に装着するとともに、取り出されないようにロックするようにしている。
【００３５】
このため、カラープロジェクタ１１の非使用時には、キーパッド１６の操作部１４が外部に露出されず、しかも、ロック解除情報を知らない者にはキーパッド１６を取り外すことができないので、カラープロジェクタ１１を盗難や不正使用等から保護することが可能になる。
【００３６】
また、キーパッド１６には、その操作部１４の形成された面と反対側の面に、カラープロジェクタ１１が使用不可である旨を記述したメッセージラベル２４が貼り付けられているので、カラープロジェクタ１１の非使用時にカラープロジェクタ１１を盗難や不正使用等から保護するために、一層効果的となる。
【００３７】
なお、キーパッド１６の操作部１４の形成された面と反対側の面にメッセージラベル２４を貼り付けない場合には、キーパッド１６をその操作部１４の形成されていない面が露出されるようにキャビネット１２に装着したとき、デザイン上すっきりとした外観にすることができる。
【００３８】
また、カラープロジェクタ１１の使用時と非使用時とで、いずれも、キーパッド１６はキャビネット１２の装着部１７に装着されるので、不用意に紛失することを防止することができるため、カラープロジェクタ１１の所有者にとっても取り扱いが便利で、実用に適するものとなる。
【００３９】
さらに、カラープロジェクタ１１を移動させる際に、キーパッド１６の操作部１４を保護するために、キーパッド１６をその操作部１４の形成されていない面が露出されるようにキャビネット１２に装着するようにしても良い。このように場合には、キーパッド１６を特にロックしなくても使用可能である。
【００４０】
なお、この発明は上記した実施の形態そのままに限定されるものではなく、実施段階ではその要旨を逸脱しない範囲で構成要素を種々変形して具体化することができる。また、上記した実施の形態に開示されている複数の構成要素を適宜に組み合わせることにより、種々の発明を形成することができる。例えば、実施の形態に示される全構成要素から幾つかの構成要素を削除しても良いものである。さらに、異なる実施の形態に係る構成要素を適宜組み合わせても良いものである。
【図面の簡単な説明】
【００４１】
【図１】この発明の実施の形態を示すもので、カラープロジェクタの外観を説明するために示す斜視図。
【図２】同実施の形態におけるカープロジェクタのキーパッドの一方の面を露出させてキャビネットに装着させる動作を説明するために示す斜視図。
【図３】同実施の形態におけるカープロジェクタのキーパッドの他方の面を露出させてキャビネットに装着させる動作を説明するために示す斜視図。
【図４】同実施の形態におけるカープロジェクタのキーパッドの一方の面を露出させてキャビネットに装着させる動作を説明するために示す上面図。
【図５】同実施の形態におけるカープロジェクタのキーパッドの他方の面を露出させてキャビネットに装着させる動作を説明するために示す上面図。
【図６】同実施の形態におけるカープロジェクタのキーパッドに対するロック動作を説明するために示す側面図。
【図７】同実施の形態におけるカープロジェクタの信号処理系の概略を説明するために示すブロック構成図。
【符号の説明】
【００４２】
１１…カラープロジェクタ、１２…キャビネット、１３…投射レンズ、１４…操作部、１５…キー、１６…キーパッド、１７…装着部、１８…側面、１９…ガイド部、２０…側面、２１…ガイド溝、２２…リモートコントローラ、２３…受信部、２４…メッセージラベル、２５，２６…コネクタ、２７…係合部、２８…ロック部、２９…入力端子、３０…映像信号処理部、３１…映像投射部、３２…スクリーン、３３…制御部、３４…ロック制御部。
【図１】
2008009305.tif 000003
【図２】
2008009305.tif 000004
【図３】
2008009305.tif 000005
【図４】
2008009305.tif 000006
【図５】
2008009305.tif 000007
【図６】
2008009305.tif 000008
【図７】
2008009305.tif 000009